(57)【特許請求の範囲】
【請求項１】
カメラ機能部品の電気的接続部分となる第一端子が設けられ、カメラ筐体の端縁面が当接するフランジ部を有して前記カメラ筐体が組み付けられる第一コネクタハウジングと、前記第一コネクタハウジングに設けられた被ロック部にロックするロックアーム部および該ロックアーム部を前記第一コネクタハウジングとの嵌合方向前方側に突出された突出保護壁を含めた壁によって保護するロック保護壁部を有し、かつ、前記第一端子に接続される第二端子が収容された第二コネクタハウジングと、を有するカメラ用コネクタであって、
前記第一コネクタハウジングは、
前記第二コネクタハウジングに嵌合される部分となる第一嵌合部が設けられ、該第一嵌合部が前記フランジ部の一側面側にずれた位置に配置され、かつ、ずれ方向に向いた面に前記被ロック部が設けられ、
前記第二コネクタハウジングは、
前記第一嵌合部と嵌合される部分となる第二嵌合部が設けられ、前記第一嵌合部のずれ方向に向いた前記第二嵌合部の面に前記ロックアーム部および前記ロック保護壁部が設けられ、
前記第一コネクタハウジングに嵌合される場合、嵌合方向に直交方向で前記突出保護壁が前記フランジ部に重なった状態で前記ロックアーム部と前記被ロック部とがロックされ、
前記フランジ部は、
前記突出保護壁が重なる部分を逃がす保護壁逃がし部が設けられている
ことを特徴とするカメラ用コネクタ。
【請求項２】
前記保護壁逃がし部は、
前記第一コネクタハウジングと前記第二コネクタハウジングとが嵌合された状態で、前記突出保護壁の両側壁に僅かな隙間を空けて向かい合う一対の凹部縁面を有する凹状をなす
ことを特徴とする請求項１に記載のカメラ用コネクタ。
【請求項３】
前記突出保護壁は、
前記第一嵌合部の外側に重なる部分が小さくなるような形状で前記第二嵌合部の嵌合口端面側から嵌合方向に突出されている
ことを特徴とする請求項１または２に記載のカメラ用コネクタ。
【発明の詳細な説明】
【技術分野】
【０００１】
本発明は、第一コネクタハウジングと第二コネクタハウジングとが嵌合されるカメラ用コネクタに関する。
【背景技術】
【０００２】
従来、車載用等のカメラの電気的な接続に用いられるカメラ用コネクタとしては、カメラ機能部品の電気的接続部分がカメラ筐体内に配置され、カメラ筐体外に電線等の電気接続部材が引き出されるようになっている。
【０００３】
例えば、特許文献１には、ワイヤの端末部に設けられたコネクタがカメラ筐体としてのフロントケース内に防水可能に配置され、ワイヤがリヤケースの貫通孔を通して防水可能に外部に引き出されている車載用カメラ装置が記載されている。
【０００４】
また、特許文献２には、端子金具が設けられ、カメラ筐体の端縁面が当接するフランジ部を有してカメラ筐体が組み付けられるコネクタハウジングを有するカメラ用コネクタが記載されている。
【０００５】
特許文献２に記載のカメラ用コネクタ１００は、例えば、端子金具Ｃに外部に引き出す電線Ｗを接続する場合、図７に示すように、第一端子（不図示）が設けられ、カメラ筐体（不図示）の端縁面が当接するフランジ部を有してカメラ筐体が組み付けられる第一コネクタハウジング１１０と、第一端子に接続される第二端子としての端子金具Ｃが収容され、第一コネクタハウジング１１０に設けられた被ロック部１１２にロックするロックアーム部１２１および該ロックアーム部１２１を第一コネクタハウジング１１０との嵌合方向前方側に突出された突出保護壁１２２ａを含めた壁によって保護するロック保護壁部１２２を有する第二コネクタハウジング１２０と、を有する構成を用いることがある。
【先行技術文献】
【特許文献】
【０００６】
【特許文献１】特開２０１１−４６３３１号公報
【特許文献２】特開２０１５−１７０５２６号公報
【発明の概要】
【発明が解決しようとする課題】
【０００７】
しかしながら、上述したロック保護壁部１２２を有するカメラ用コネクタ１００は、突出保護壁１２２ａがフランジ部１１１に接触しないように配置されるため、嵌合長Ｈ（図７（ｂ）参照）が長くなり、結果的に、第一、第二コネクタハウジング１１０、１２０の嵌合方向での寸法が増大してしまうという問題があった。
【０００８】
本発明は、上記に鑑みてなされたものであって、第一コネクタハウジングと、第一コネクタハウジングにロック保護壁部の壁によって保護されたロックアーム部を介してロックする第二コネクタハウジングとの嵌合方向の寸法を小さく抑えることができるカメラ用コネクタを提供することを目的とする。
【課題を解決するための手段】
【０００９】
上述した課題を解決し、目的を達成するために、本発明の請求項１に係るカメラ用コネクタは、カメラ機能部品の電気的接続部分となる第一端子が設けられ、カメラ筐体の端縁面が当接するフランジ部を有して前記カメラ筐体が組み付けられる第一コネクタハウジングと、前記第一コネクタハウジングに設けられた被ロック部にロックするロックアーム部および該ロックアーム部を前記第一コネクタハウジングとの嵌合方向前方側に突出された突出保護壁を含めた壁によって保護するロック保護壁部を有し、かつ、前記第一端子に接続される第二端子が収容された第二コネクタハウジングと、を有するカメラ用コネクタであって、前記第一コネクタハウジングは、前記第二コネクタハウジングに嵌合される部分となる第一嵌合部が設けられ、該第一嵌合部が前記フランジ部の一側面側にずれた位置に配置され、かつ、ずれ方向に向いた面に前記被ロック部が設けられ、前記第二コネクタハウジングは、前記第一嵌合部と嵌合される部分となる第二嵌合部が設けられ、前記第一嵌合部のずれ方向に向いた前記第二嵌合部の面に前記ロックアーム部および前記ロック保護壁部が設けられ、前記第一コネクタハウジングに嵌合される場合、嵌合方向に直交方向で前記突出保護壁が前記フランジ部に重なった状態で前記ロックアーム部と前記被ロック部とがロックされ、前記フランジ部は、前記突出保護壁が重なる部分を逃がす保護壁逃がし部が設けられていることを特徴とする。
【００１０】
また、本発明の請求項２に係るカメラ用コネクタは、前記保護壁逃がし部が、前記第一コネクタハウジングと前記第二コネクタハウジングとが嵌合された状態で、前記突出保護壁の両側壁に僅かな隙間を空けて向かい合う一対の凹部縁面を有する凹状をなすことを特徴とする。
【００１１】
また、本発明の請求項３に係るカメラ用コネクタは、前記突出保護壁が、前記第一嵌合部の外側に重なる部分が小さくなるような形状で前記第二嵌合部の嵌合口端面側から嵌合方向に突出されていることを特徴とする。
【発明の効果】
【００１２】
本発明の請求項１に係るカメラ用コネクタは、前記突出保護壁を前記フランジ部の一側面側にずれた位置に設けることによって、前記フランジ部との重なり部分を小さく抑えつつ、嵌合方向に直交方向で前記突出保護壁が前記フランジ部に重なった状態で前記ロックアーム部と前記被ロック部とがロックされるようになっているので、第一コネクタハウジングと、第一コネクタハウジングにロック保護壁部の壁によって保護されたロックアーム部を介してロックする第二コネクタハウジングとの嵌合方向の寸法を小さく抑えることができる。
【００１３】
本発明の請求項２に係るカメラ用コネクタは、前記第二端子に、前記保護壁逃がし部の幅方向の外力が負荷された場合、前記突出保護壁の両側壁が前記凹部縁面に当接され、外力による負荷を前記保護壁逃がし部によって受けることができ、結果的に、前記保護壁逃がし部の幅方向に負荷される外力を分散することができ、しかも、前記突出保護壁が前記保護壁逃がし部によって前記フランジ部に形成された凹み部分に入り込むため、前記突出保護壁が前記フランジ部の一側面側にずれた位置に配置されたことによる、ずれ方向に沿った方向での寸法が増加されることを防ぐことができる。
【００１４】
本発明の請求項３に係るカメラ用コネクタは、前記第一コネクタハウジングと前記第二コネクタハウジングとの嵌合状態で、前記第一嵌合部と前記突出保護壁との重なり部分が小さく抑えられ、前記第二嵌合部の嵌合口端面から嵌合方向前方側に視える前記第一嵌合部の外面が前記突出保護壁によって妨げられることなく目視することができるようになっているので、前記第一コネクタハウジングと前記第二コネクタハウジングとの嵌合状態を容易に目視確認することができる。
【図面の簡単な説明】
【００１５】
【図１】図１は、本発明の実施例に係るカメラ用コネクタの分解斜視図である。
【図２】図２は、カメラ用コネクタの斜視図である。
【図３】図３は、カメラ用コネクタの側面図である。
【図４】図４は、カメラ用コネクタの断面図である。
【図５】図５は、図１に示した第一コネクタハウジングの斜視図である。
【図６】図６は、カメラ筐体を取り付けた状態のカメラ用コネクタであり、（ａ）が斜視図であり、（ｂ）がロックアーム部側の一側面から視た図であり、（ｃ）が側面図である。
【図７】図７は、従来技術を説明するための図である。
【発明を実施するための形態】
【００１６】
以下、図面を参照して、本発明に係るカメラ用コネクタの好適な実施例を詳細に説明する。
【実施例】
【００１７】
図１は、本発明の実施例に係るカメラ用コネクタ１の分解斜視図である。図２は、カメラ用コネクタ１の斜視図である。図３は、カメラ用コネクタ１の側面図である。図４は、カメラ用コネクタ１の断面図である。図５は、図１に示した第一コネクタハウジング１０の斜視図である。図６は、カメラ筐体５０を取り付けた状態のカメラ用コネクタ１であり、（ａ）が斜視図であり、（ｂ）がロックアーム部２３側の一側面から視た図であり、（ｃ）が側面図である。
なお、図６は、電線Ｗを省略して示している。
本発明の実施例に係るカメラ用コネクタ１は、車載用のものであり、カメラ機能部品の電気的接続部分となる第一端子１７が設けられ、カメラ筐体５０の端縁面が当接するフランジ部１３を有してカメラ筐体５０が組み付けられる第一コネクタハウジング１０と、第一端子１７に接続される第二端子２６が収容され、第一コネクタハウジング１０と嵌合される第二コネクタハウジング２０と、第二コネクタハウジング２０の前端に装着されることによって、第二コネクタハウジング２０の後述する端子収容室２１ａを画成するとともに、第一コネクタハウジング１０の内部前端面に突き当てられる突き当て面が設けられた保持部材３０と、第二コネクタハウジング２０に取り付けられることによって、端子収容室２１ａ内に収容された第二端子２６を係止する係止部材４０と、を有してなる。
【００１８】
なお、この実施例では、第二端子２６は、図１に示すように、電線Ｗの端末部に取り付けられた雌端子である。また、電線Ｗには第二端子２６の端部周辺にゴム栓Ｓ１が取り付けられることによって、第二端子２６が第二コネクタハウジング２０内に防水可能に収容されるようになっている。
【００１９】
第一コネクタハウジング１０は、第一端子１７としての複数の雄端子が内部に収容され、第二コネクタハウジング２０に嵌合される部分となる第一嵌合部１１と、カメラ筐体５０と合わせてカメラ機能部品の収容空間を構成するケース部１２と、を有し、フランジ部１３が、ケース部１２の外周面に沿ってカメラ筐体５０の端縁面が当接する当接面１３ａを形成するように設けられている。
【００２０】
第一嵌合部１１は、第一コネクタハウジング１０と第二コネクタハウジング２０との嵌合方向（以下、単に「嵌合方向」という。）に直交する断面外形が略矩形状である筒状をなし、嵌合口１１ａに先端を向けるようにして複数の第一端子１７が保持収容されている。
各第一端子１７は、圧入、あるいは、インサート成形によって第一嵌合部１１内の所定位置に保持されている。
【００２１】
この第一嵌合部１１は、フランジ部１３の一側面側にずれた位置に配置され、かつ、ずれ方向（図５中矢印Ｄ方向）に向いた面に第二コネクタハウジング２０のロックアーム部２３がロックする被ロック部１１ｂが設けられている。
この被ロック部１１ｂは、後述する係止部２３ｃが係止する際にのり越え易いように嵌合口１１ａに向いた面に傾斜面が設けられた突起である。
【００２２】
ケース部１２は、第一嵌合部１１の嵌合口１１ａとは逆側の端部にカメラ機能部品の収容空間の底面を形成する矩形状の底壁部１２ａと、底壁部１２ａの縁に沿って立設された枠壁部１２ｂと、を有してなる。
【００２３】
フランジ部１３は、枠壁部１２ｂの底壁部側端部外周に沿って枠壁部１２ｂの外周面から段を形成するように突設されている。
また、フランジ部１３は、第二コネクタハウジング２０の後述する突出保護壁２５が重なる部分を逃がす保護壁逃がし部１４が設けられている。
【００２４】
この保護壁逃がし部１４は、第一コネクタハウジング１０と第二コネクタハウジング２０とが嵌合された状態で、突出保護壁２５の両側壁に僅かな隙間を空けて向かい合う一対の凹部縁面１４ａ、１４ａを有する凹状をなす。
【００２５】
このような第一コネクタハウジング１０は、嵌合方向でケース部１２の設けられた一端から第一嵌合部１１の嵌合口１１ａまで連続して第一嵌合部１１のずれ方向に向いた平面１５が設けられており、その平面１５上に被ロック部１１ｂが突設されている。
【００２６】
また、この平面１５の両縁には、嵌合方向に延びる一対のガイドリブ１６、１６が設けられている。一対のガイドリブ１６、１６は、ロック保護壁部２４の後述する一対の側部保護壁２４ａの間に位置され、第一コネクタハウジング１０と第二コネクタハウジング２０との嵌合方向への移動をガイドする機能をなしている。
【００２７】
第二コネクタハウジング２０は、第一嵌合部１１と嵌合される部分となる第二嵌合部２１と、第二嵌合部２１内に第二端子２６を挿入するための複数の端子挿入口２２ａが設けられた端子挿入部２２と、を有し、嵌合口２１ｄ側を一端とし、端子挿入口２２ａ側を他端とする絶縁性樹脂材からなるブロック状をなしている。
【００２８】
また、第二コネクタハウジング２０は、第一コネクタハウジング１０に設けられた被ロック部１１ｂにロックするロックアーム部２３、および、ロックアーム部２３を第一コネクタハウジング１０との嵌合方向前方側に突出された突出保護壁２５を含めた壁によって保護するロック保護壁部２４を有してなる。
【００２９】
第二コネクタハウジング２０は、第一コネクタハウジング１０に嵌合される場合、嵌合方向に直交方向で突出保護壁２５がフランジ部１３に重なった状態でロックアーム部２３と被ロック部１１ｂとがロックされるようになっている。
【００３０】
第二嵌合部２１は、複数の第二端子２６がそれぞれ収容される複数の端子収容室２１ａが設けられ、保持部材３０がセットされた状態で保持部材３０とともに第一嵌合部１１内終端位置まで嵌め込まれる内側嵌合部２１ｂと、第二嵌合部２１の外壁を形成し第一嵌合部１１の外側に重なるようにして第一嵌合部１１と嵌め合う外側嵌合壁２１ｃとを有する。
【００３１】
このように、カメラ用コネクタ１は、内側嵌合部２１ｂと外側嵌合壁２１ｃとの二重の嵌合構造になっており、第一コネクタハウジング１０と第二コネクタハウジング２０とが嵌合された状態で、内側嵌合部２１ｂと外側嵌合壁２１ｃとの間に第一嵌合部１１の嵌合口端部周辺が配置され、かつ、内側嵌合部２１ｂと第一嵌合部１１との間が弾性シール部材Ｓ２によって防水可能に封止されるようになっている。
【００３２】
この第二嵌合部２１は、第一嵌合部１１のずれ方向に向いた第二嵌合部２１の面２１ｅにロックアーム部２３およびロック保護壁部２４が設けられている。
【００３３】
ロックアーム部２３は、端子挿入部２２の端部に設けられた支点部２３ａと、支点部２３ａから第一コネクタハウジング１０と嵌合する方向に延びる一対のアーム部２３ｂ、２３ｂと、一対のアーム部２３ｂ、２３ｂの先端を橋渡すように設け、かつ、一対のアーム部２３ｂ、２３ｂが弾性的に中立な状態で被ロック部１１ｂに係止される部分となる係止部２３ｃと、係止部２３ｃ側からアーム部２３ｂの延在方向とは逆方向に延在するアームの端部に設けられ、ロックを解除する際に操作者が押圧操作する部分となるロック解除操作部２３ｄと、を有してなる。
【００３４】
ロック保護壁部２４は、各アーム部２３ｂの側部外方側でアーム部２３ｂの延在方向に沿って、ロック解除操作部２３ｄに並ぶ位置から係止部２３ｃに比して第一コネクタハウジング１０との嵌合方向前方側に突出される位置まで延びることによって、ロックアーム部２３の両側部を保護する一対の側部保護壁２４ａ、２４ａと、一対の側部保護壁２４ａ、２４ａの前端側を橋渡すことによってロックアーム部２３の前端部を保護する前端部保護壁２４ｂと、を有してなる。
【００３５】
一対の側部保護壁２４ａ、２４ａは、外側嵌合壁２１ｃの一側面に立設され、外側嵌合壁２１ｃに対して嵌合方向両端側から突出されるようになっている。
また、一対の側部保護壁２４ａ、２４ａは、一対のアーム部２３ｂ、２３ｂに比してより高い位置に上端面が位置されるようにその高さが調整されている。
【００３６】
このようなロック保護壁部２４によってロックアーム部２３が外部から保護されることによって、意図しない状況でロック解除操作が行われ難いようになっている。
【００３７】
ここで突出保護壁２５をより具体的に説明すると、ロック保護壁部２４のうち、嵌合方向で外側嵌合壁２１ｃに比して第一コネクタハウジング１０との嵌合方向前方側に突出された部分である。
【００３８】
このような第二コネクタハウジング２０は、第一嵌合部１１のずれ方向に向いた第二嵌合部２１の面にロックアーム部２３およびロック保護壁部２４が設けられて突出保護壁２５が第一嵌合部１１のずれ方向に寄った位置に配置されることによって、突出保護壁２５がフランジ部１３に重なる部分を小さくするようになっている。
【００３９】
また、突出保護壁２５は、第一嵌合部１１の外側に重なる部分が小さくなるような形状で第二嵌合部２１の嵌合口端面側から嵌合方向に突出されている。
より具体的には、突出保護壁２５は、外側嵌合壁２１ｃに対して第一コネクタハウジング１０との嵌合方向前方側に突出された部分が外側嵌合壁２１ｃの嵌合方向前方側の端縁面に沿った縁面をＲ状になるように形成されている。
【００４０】
このため、カメラ用コネクタ１は、図３に示すように、第一コネクタハウジング１０と第二コネクタハウジング２０との嵌合状態で、第一嵌合部１１と突出保護壁２５との重なり部分が小さく抑えられ、第二嵌合部２１の嵌合口端面から嵌合方向前方側に視える第一嵌合部１１の外面が突出保護壁２５によって妨げられることなく目視することができるようになっている。
なお、突出保護壁２５は、フランジ部１３に重なる部分を小さくするようになっていれば、縁面がＲ状でなくその他の形状であってもよい。
【００４１】
また、上述したように、第一コネクタハウジング１０の保護壁逃がし部１４は、第一コネクタハウジング１０と第二コネクタハウジング２０と嵌合された状態で、突出保護壁２５の両側壁に僅かな隙間を空けて向かい合う一対の凹部縁面１４ａ、１４ａを有する凹状をなしている。
【００４２】
このため、第二端子２６に繋がる電線Ｗに、図２に示すような、保護壁逃がし部１４の幅方向（矢印Ｆ方向）の外力が負荷された場合、突出保護壁２５の両側壁が凹部縁面１４ａに当接され、外力による負荷を保護壁逃がし部２５によって受けることができ、結果的に、保護壁逃がし部１４の幅方向に負荷される外力を分散することができるようになっている。
【００４３】
また、突出保護壁２５が保護壁逃がし部２５によってフランジ部１３に形成された凹み部分に入り込むため、カメラ用コネクタ１は、突出保護壁２５がフランジ部１３の一側面側にずれた位置に配置されたことによる、ずれ方向に沿った方向（図３中矢印Ｄ方向）での寸法が増加されることを防いでいる。
【００４４】
このような、カメラ用コネクタ１は、図６に示すように、カメラ筐体５０が端縁面をフランジ部１３に当接するようにして組み付けられる。
このカメラ筐体５０は、略半球面上をなし、球面の頂部周辺領域がレンズ部分になっている。
【００４５】
第一コネクタハウジング１０の平面１５ではフランジ部１３の当接面１３ａの一部が欠けた状態になっているものの、一対のガイドリブ１６、１６が端面をフランジ部１３の当接面１３ａと面一になるように設けられているため、カメラ筐体５０の端縁面は安定的に位置決めされるようになっている。
なお、カメラ筐体５０は、フランジ部１３に当接して第一コネクタハウジング１０に組み付けられるものであれば、この実施例に示した構成に限定されない。
【００４６】
次に、第一コネクタハウジング１０と第二コネクタハウジング２０とが嵌合解除された状態から嵌合されるまでの各部の作用について説明する。
まず、複数の第二端子２６が各端子収容室２１ａに収容され、かつ、保持部材３０、および、係止部材４０が取り付けられた第二コネクタハウジング２０を、ロックアーム部２３が被ロック部１１ｂにロックされる位置まで嵌合方向に移動する。
【００４７】
このロックアーム部２３が被ロック部１１ｂにロックされるまでの移動の途中で、ロックアーム部２３の係止部２３ｃが被ロック部１１ｂをのり越えるように支点部２３ａを支点として一対のアーム部２３ｂが弾性的に撓み、係止部２３ｃが被ロック部１１ｂをのり越えたロック完了位置に到達すると、一対のアーム部２３ｂが弾性的に中立な状態に復元されることによって、係止部２３ｃと被ロック部１１ｂとが係止される。
【００４８】
また、このとき突出保護壁２５は、保護壁逃がし部１４の一対の凹部縁面１４ａ、１４ａの間を抜けるようにして移動されるので、突出保護壁２５によって、第一コネクタハウジング１０と第二コネクタハウジング２０との嵌合が阻止されるようなことがない。
【００４９】
本発明の実施例に係るカメラ用コネクタ１は、突出保護壁２５をフランジ部１３の一側面側にずれた位置に設けることによって、フランジ部１３との重なり部分を小さく抑えつつ、嵌合方向に直交方向で突出保護壁２５がフランジ部１３に重なった状態でロックアーム部２３と被ロック部１１ｂとがロックされるようになっているので、第一コネクタハウジング１０と、第一コネクタハウジング１０にロック保護壁部２４の壁によって保護されたロックアーム部２３を介してロックする第二コネクタハウジング２０との嵌合方向の寸法を小さく抑えることができる。
【００５０】
また、本発明の実施例に係るカメラ用コネクタ１は、第二端子２６に、保護壁逃がし部１４の幅方向の外力が負荷された場合、突出保護壁２５の両側壁が凹部縁面１４ａに当接され、外力による負荷を保護壁逃がし部１４によって受けることができ、結果的に、保護壁逃がし部１４の幅方向に負荷される外力を分散することができ、しかも、突出保護壁２５が保護壁逃がし部１４によってフランジ部１３に形成された凹み部分に入り込むため、突出保護壁２５がフランジ部１３の一側面側にずれた位置に配置されたことによる、ずれ方向に沿った方向での寸法が増加されることを防ぐことができる。
【００５１】
また、本発明の実施例に係るカメラ用コネクタ１は、第一コネクタハウジング１０と第二コネクタハウジング２０との嵌合状態で、第一嵌合部１１と突出保護壁２５との重なり部分が小さく抑えられ、第二嵌合部２１の嵌合口端面から嵌合方向前方側に視える第一嵌合部１１の外面が突出保護壁２５によって妨げられることなく目視することができるようになっているので、第一コネクタハウジング１０と第二コネクタハウジング２０との嵌合状態を容易に目視確認することができる。
【００５２】
なお、本発明の実施例に係るカメラ用コネクタ１は、保持部材３０および係止部材４０を有してなるものを例示したが、これらは必須の構成ではないため、保持部材３０および係止部材４０を有しないものであってもよい。
【００５３】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００５４】
１      カメラ用コネクタ
１０    第一コネクタハウジング
１１    第一嵌合部
１１ａ  嵌合口
１１ｂ  被ロック部
１２    ケース部
１２ａ  底壁部
１２ｂ  枠壁部
１３    フランジ部
１３ａ  当接面
１３ｂ  一側面
１４    保護壁逃がし部
１４ａ  凹部縁面
１５    平面
１６    ガイドリブ
１７    第一端子
２０    第二コネクタハウジング
２１    第二嵌合部
２１ａ  端子収容室
２１ｂ  内側嵌合部
２１ｃ  外側嵌合壁
２１ｄ  嵌合口
２１ｅ  面
２２    端子挿入部
２２ａ  端子挿入口
２３    ロックアーム部
２３ａ  支点部
２３ｂ  アーム部
２３ｃ  係止部
２３ｄ  ロック解除操作部
２４    ロック保護壁部
２４ａ  側部保護壁
２４ｂ  前端部保護壁
２５    突出保護壁
２６    第二端子
３０    保持部材
４０    係止部材
５０    カメラ筐体
Ｗ      電線
Ｓ１    ゴム栓
Ｓ２    弾性シール部材
【図１】
0006310491.tif 000002
【図２】
0006310491.tif 000003
【図３】
0006310491.tif 000004
【図４】
0006310491.tif 000005
【図５】
0006310491.tif 000006
【図６】
0006310491.tif 000007
【図７】
0006310491.tif 000008